(57)【要約】本発明は、出力ユニット又はスクリーン上に表示されるべきアプリケーションを選択する方法及び装置と、前記方法を実行するコンピュータプログラム及び素子、並びに前記アプリケーションが表示される出力ユニットを判断する方法及び装置に関する。少なくとも１つのスクリーン上に表示されるべきアプリケーションを選択する装置は、第１アプリケーションユニットに少なくとも関連付けられた１つの入力ユニットと、第２アプリケーションユニットに少なくとも関連付けられた他の入力ユニットとを含んでおり、該装置において、活動中の入力ユニットが識別され、前記入力ユニットによる識別がされると、前記関連付けられたアプリケーションが表示されるスクリーンが判断される。当該装置は、入力ユニットが、スクリーン上に表示されるべきアプリケーションを選択できるようにし、該入力ユニットは、前記選択されたアプリケーション用に特別に設計されているものである。
2005535046.tif 000002
【特許請求の範囲】
【請求項１】
少なくとも１つの出力ユニット上に提示されるべきアプリケーションを選択する方法であって、第１入力ユニットは、第１アプリケーションに少なくとも関連付けられており、第２入力ユニットは、第２アプリケーションに少なくとも関連付けられており、
―  活動中の入力ユニットを識別するステップ、及び
―  前記活動中の入力ユニットを識別すると、前記関連付けられたアプリケーションを前記出力ユニット上に提示するステップ、
を含む方法。
【請求項２】
前記活動中の入力ユニットを識別する前記ステップが、前記入力ユニットの運動を感知するステップを含む、請求項１に記載の方法。
【請求項３】
少なくとも２つの出力ユニットから、前記関連付けられたアプリケーションが提示されるべき前記出力ユニットを判断するステップを含む、請求項１に記載の方法。
【請求項４】
前記出力ユニットを判断するステップが、
―  前記入力ユニットから到来する信号の強度を、それぞれが異なる出力ユニットに関係付けられている少なくとも２つのインターフェースユニットにおいて、測定するステップ、及び
―  前記測定に依存して、出力ユニットを選択するステップ、
を含む、請求項３に記載の方法。
【請求項５】
対応する前記インターフェースユニットが前記最高の信号強度を測定している、前記出力ユニットを選択するステップを含む、請求項４に記載の方法。
【請求項６】
前記選択されたアプリケーションを、前記関連付けられたアプリケーションと同一の種類のアプリケーション用に特別に設計されている、活動中の入力ユニットによって、制御するステップを含む、請求項１に記載の方法。
【請求項７】
前記関連付けられたアプリケーションが単数である場合に、該関連付けられたアプリケーションを開始するステップを含む、請求項１に記載の方法。
【請求項８】
前記関連付けられたアプリケーションが画像スクリーン上に表示される、請求項１に記載の方法。
【請求項９】
前記画像スクリーンが、テレビジョンスクリーンである、請求項８に記載の方法。
【請求項１０】
前記関連付けられたアプリケーションは、前記入力ユニットが前回使用された際に、提示された前記アプリケーションである、請求項１に記載の方法。
【請求項１１】
前記アプリケーションの前記提示が、前記アプリケーションの終了又は停止の後に、該アプリケーションを再開するステップを含む、請求項１に記載の方法。
【請求項１２】
少なくとも１つの活動中の入力ユニットを、少なくとも第１及び第２アプリケーションに、前記少なくとも１つの活動中の入力ユニットの使用の後に、関連付けるステップを含む、請求項１に記載の方法。
【請求項１３】
アプリケーションの選択のための装置であって、
―  少なくとも第１アプリケーションユニット、
―  少なくとも第２アプリケーションユニット、
―  少なくとも１つの出力ユニット、
―  前記第１アプリケーションユニットに少なくとも関連付けられている第１入力ユニット
―  前記第２アプリケーションユニットに少なくとも関連付けられている第２入力ユニット、及び
―  制御ユニットであって、活動中の入力ユニットを識別し、前記関連付けられているアプリケーションを、前記活動中の入力ユニットを識別すると前記出力ユニット上に提示する制御ユニット、
を有するアプリケーションの選択のための装置。
【請求項１４】
活動中の入力ユニットの運動を感知する少なくとも１つの動きセンサを有する、請求項１３に記載の装置。
【請求項１５】
―  少なくとも第１出力ユニット、
―  少なくとも第２出力ユニット、及び
―  少なくとも２つの信号測定ユニットであって、それぞれが、前記入力ユニットから到来する信号の信号強度を測定する異なる出力ユニットに関係付けられている少なくとも２つの信号測定ユニット、
を有し、前記制御ユニットが、更に、前記測定に依存して出力ユニットを選択する、請求項１３に記載の装置。
【請求項１６】
前記信号測定ユニットによって測定された前記最高の信号強度を判断する信号強度判断ユニットを有する、請求項１５に記載の装置。
【請求項１７】
コンピュータ読み取り可能媒体を有するコンピュータプログラムであって、前記プログラムがコンピュータ内にロードされた場合に、
―  第１入力ユニットが、第１アプリケーションに少なくとも関連付けられており、第２入力ユニットが、第２アプリケーションユニットに少なくとも関連付けられている場合において、少なくとも１つの出力ユニット上に提示されるべきアプリケーションを選択し、
―  活動中の入力ユニットを識別し、
―  前記活動中の入力ユニットを識別すると、前記出力ユニット上の前記関連付けられたアプリケーションの提示を命令する、
ための手順を、前記コンピュータに実行させるコンピュータプログラムコードを有する、コンピュータ読み取り可能媒体を含むコンピュータプログラム。
【請求項１８】
コンピュータプログラム素子であって、
―  第１入力ユニットが、第１アプリケーションに少なくとも関連付けられており、第２入力ユニットが、第２アプリケーションユニットに少なくとも関連付けられている場合において、少なくとも１つの出力ユニット上に提示されるべきアプリケーションを選択し、
―  活動中の入力ユニットを識別し、
―  前記活動中の入力ユニットを識別すると、前記出力ユニット上の前記関連付けられたアプリケーションの提示を命令する、
ための手順を、コンピュータに実行させるコンピュータプログラムコードを有する、コンピュータプログラム素子。
【発明の詳細な説明】
【技術分野】
【０００１】
本発明は、画像スクリーン等のようなネットワーク接続された複数の出力ユニットに対して、制御アプリケーションを選択するための入力ユニットの使用に関する。
【背景技術】
【０００２】
陰極線管スクリーン、液晶表示器スクリーン、プラズマスクリーン及びタッチ感知スクリーン等のような、スクリーンの数は、近年の間、劇的に増加しており、特に、数が増加している家庭用電子機器及びパーソナル商品が、例えば、操作モード、設定及び利用可能なオプションを説明するためのスクリーン又は表示器を含む傾向にあるので、前記スクリーンの数は、なお増加すると予想されている。スクリーンは、人と機械との間の重要なインターフェースとなっている。
【０００３】
従って、このインターフェースは、１つ又はいくつかのアプリケーションをスクリーン上に表示する。テレビジョンスクリーンの場合は、テレビジョン又はビデオの視聴、及びゲームのプレイを含むメインアプリケーションとは、現在のところ、比較的少数のものである。しかしながら、パーソナルコンピュータスクリーンの場合は、様々なタスク及びアクティビティがサポートされることができる。ますます多くのスクリーンが、ネットワークアドレスに対する識別子及びアソシエーションを受け取っており、従って、ネットワーク接続された環境の一部となっている。
【０００４】
ネットワーク接続され、スクリーンは、汎用的になり、即ちこれらは、多数のアプリケーションをサポートする。基本的な概念は、「スクリーンはスクリーンである」ということであろう。前記サポートされるアプリケーションは、上述のテレビジョン又はビデオの視聴、及びゲームのプレイから離れて、例えば、例を少し挙げると、これをホワイトボードとして使用する、電子メールメッセージを送受信する、ビデオ会議を行う、写真集を閲覧する、及び音楽を選択することであり得る。
【０００５】
スクリーン上に表示されるべき各アプリケーションは、いわゆる入力ユニットによって制御されることができる。これらのアプリケーションの制御用に、１つ又は２つの入力ユニットが、典型的には使用される。テレビジョンスクリーンの場合、１つの入力ユニットが、主に使用されている（即ちリモコン）のに対し、パーソナルコンピュタに接続されているスクリーンを制御するには、典型的には２つの入力ユニット、即ちマウス及びキーボードが使用されている。
【０００６】
従って、スクリーン上に表示されるべき前記アプリケーション又はアクティビティの数は、一般に使用される入力ユニットの数を上回る。このため、これら入力ユニットは、一般的な機能を受け取り、即ちこれらは、汎用的になった。このため、各アプリケーションは、メニュー構造から選択されなければならなくなり、該メニュー構造は、該構造から選択されることができるアプリケーションの数を複雑に増加させる。アプリケーションの検索において多数のサブミーンを持つメニュー構造を通過するのは、厄介であり、ユーザを、検索されているアプリケーションへ誘導するというよりも、該アプリケーションを発見するのを妨げる傾向にある。既に前記メニュー構造のナビゲーションのいくつかのステップの後には、前記アプリケーションを使用する気がますますしなくなる。このように、前記汎用入力ユニットの操作性は、所望のアプリケーションを選択及び制御するための冗長で回り道である過程を被るであろう。
【０００７】
従って、入力ユニットが汎用スクリーンを制御するのに使用される場合に、素早く、かつ、容易な、アプリケーションへのアクセス及び該アプリケーションの制御を可能にする方法が必要である。
【０００８】
コンピュータ周辺装置の分野における従来技術の状態は、米国特許出願公開第２００２／０００２４９０号明細書によって例示されており、前記明細書は、ウェブ消費者が、配線された又はプログラム可能なスイッチを有するブランドのついたコンピュータ入力ユニットを維持するように作用するシステムを記載しており、該配線された又はプログラム可能なスイッチは、ウェブ消費者を、該コンピュータ入力ユニットのスポンサによって運営されている特定のウェブサイトに案内し、これによって、所有者が、該スポンサによって供給されている商品又はサービスを求める場合に、ウェブ消費者が該スポンサのウェブサイトへのアクセスを継続するように作用する。前記コンピュータ入力ユニットは、電子商取引、電話通信及び音声再生を可能にするウェブナビゲーション及びコンピュータ入力ポートのいかなる組み合わせも供給することができる。
【０００９】
この入力ユニットは、前進、後退及びズームのような便利なフィーチャを設けることによって、簡略化されたウェブナビゲーションをすることができる。前記ユニットは、選択されたウェブサイトへのダイレクト・アクセス用にボタンをプログラムすることによって、及び該入力ユニット上に表示されるべき個人の画像を選択することによって、更に個人化されることができる。
【００１０】
従って、前記コンピュータ入力ユニットの利点は、改良されたウェブナビゲーションが供給されていることにある。
【発明の開示】
【発明が解決しようとする課題】
【００１１】
上述の入力ユニットの欠点は、案内されたウェブの閲覧の使用に限定されていることである。
【００１２】
前記入力ユニットの他の欠点は、コンピュータスクリーン上に表示される特定のウェブサイト上のアクティビティの使用に限定されていることである。
【００１３】
更なる他の欠点は、前記入力ユニットが、単一のスクリーン上で、単一のアプリケーションを制御するように特別に設計されており、該入力ユニットは、複数の入力ユニット、複数のアプリケーション、及び種々の異なるスクリーンがある場合に、活動中の入力ユニットを識別する、望まれている該アプリケーションを判断する、又は該スクリーンを決定する情報を備えていないことである。
【００１４】
入力ユニットが、任意のスクリーン上で表示されるべきアプリケーションを選択し、制御することを可能にする方法を提供することは、従来技術と比較して有利である。
【００１５】
入力ユニットが、任意のスクリーンから選択したスクリーン上で表示されるべきアプリケーションを選択し、制御することを可能にする方法を提供することも、従来技術と比較して有利である。
【００１６】
入力ユニットが、スクリーン上で表示されるべきアプリケーションを選択し、制御することを可能にする方法であって、該入力ユニットは、特に、該選択されたアプリケーションと同一の種類のアプリケーションに特に適切なものである方法を提供することは、従来技術と比較して更に有利である。
【００１７】
入力ユニットが、冗長で複雑なメニュー構造を検索する過程を回避し、所望のアプリケーションを選択し、制御することを可能にする方法を提供することは、従来技術と比較して有利である。
【００１８】
入力ユニットが、任意のスクリーン上に表示されるべきアプリケーションを選択することを可能にする方法であって、該スクリーンが、該入力ユニットから送信される信号の強度に依存して決定される方法を提供することは、従来技術と比較して更に有利である。
【００１９】
本発明の目的は、ユーザが冗長で複雑なメニュー構造を検索する必要性を有さずに、入力ユニットが、容易に、全アプリケーションを選択し制御することができる装置を提供することにある。
【００２０】
本発明の目的は、いくつかのアプリケーション及び入力ユニットが存在する場合の、アプリケーションの選択を簡略化にすることにもある。
【課題を解決するための手段】
【００２１】
この目的は、本発明の第１の見地によって達成され、ここでは、少なくとも第１アプリケーションユニットと、少なくとも第２アプリケーションユニットと、少なくとも１つの出力ユニットと、第１アプリケーションユニットに少なくとも関連付けられた第１入力ユニットと、第２アプリケーションユニットに少なくとも関連付けられた第２入力ユニットと、制御ユニットであって、活動中の入力ユニットを識別し、前記活動中の入力ユニットを識別すると、前記関連付けられたアプリケーションを、前記出力ユニット上に提示する制御ユニットとを有する装置が提供される。
【００２２】
この目的は、本発明の第２の見地によっても達成され、ここでは、少なくとも１つの出力ユニット上に提示されるべきアプリケーションを選択する方法であって、第１入力ユニットは、第１アプリケーションに少なくとも関連付けられており、第２入力ユニットは、第２アプリケーションに少なくとも関連付けられており、活動中の入力ユニットの識別することと、前記活動中の入力ユニットを識別すると、前記関連付けられたアプリケーションを前記出力ユニット上に提示することとを含む方法が提供される。
【００２３】
本発明の他の目的は、入力ユニットが、任意スクリーン上に表示されるべきアプリケーションを選択し、制御することができるシステムを提供することにある。
【００２４】
本発明の更に他の目的は、入力ユニットが、任意スクリーン上に表示されるべきアプリケーションを選択し、制御することができ、該スクリーンが、前記スクリーンと前記入力ユニットとの間の接近度によって判断されるシステムを提供することにある。
【００２５】
これらの目的は、前記発明の第３の見地によって達成され、ここでは、前記第１の見地の装置によるフィーチャと、少なくとも第１出力ユニットと、少なくとも第２出力ユニットと、それぞれが異なる出力ユニットに関係付けられている少なくとも２つのインターフェースユニットとを有する装置であって、前記２つのインターフェースユニットが、前記入力ユニットから到来する信号の信号強度を測定し、制御ユニットが、更に、前記測定に依存して出力ユニットを選択する装置が提供される。
【００２６】
これらの目的は、更に、本発明の第４の見地によって達成され、ここでは、前記第２の見地による方法のステップと、少なくとも２つの出力ユニットから前記出力ユニットを判断するステップと、それぞれが異なる出力ユニットに関係付けられている少なくとも２つのインターフェースユニットにおいて、前記入力ユニットから到来する信号の強度を測定し、該測定に依存して出力ユニットを選択するステップとを有する方法が提供される。
【００２７】
本発明の第５の見地によれば、前記第１の見地の装置によるフィーチャと、入力ユニットの運動を感知する少なくとも１つの動きセンサとを有する装置が提供される。
【００２８】
本発明の第６の見地によれば、前記第２の見地による方法のステップと、前記入力ユニットの運動を感知する前記ステップとを有する方法が提供される。
【００２９】
本発明の第７の見地によれば、前記第３の見地による方法のフィーチャと、前記インターフェースユニットによって測定された最高の信号強度を判断する信号強度判断ユニットとを有する装置が提供される。
【００３０】
本発明の第８の見地によれば、前記第４の見地による方法のステップと、対応する前記インターフェースユニットが、前記最高の信号強度を測定した出力ユニットを選択する前記ステップとを有する方法が提供される。
【００３１】
従って、本発明による装置及び方法は、以下の利点を有して記載されている。
【００３２】
出力ユニット上に提示されるべきアプリケーションを選択する本発明による前記方法及び装置は、従来技術と比較して、利点を有しており、この利点とは、前記入力ユニットが、該選択されたアプリケーションのアプリケーションユニットに関連付けられているので、素早く、かつ、容易な、前記アプリケーションへのアクセスを可能にすると共に、前記入力ユニットが、前記関連付けられたアプリケーションと同一の種類のアプリケーション用に特別に設計されているので、該入力ユニットが、汎用スクリーン上に前記関連付けられたアプリケーションを表示又は提示するのに使用される場合に、アプリケーションの制御を可能にすることである。
【００３３】
本発明による装置の他の利点は、入力ユニットが、スクリーン上に表示されるべきアプリケーションを選択することを可能にすることであり、該入力ユニットは、前記選択されたアプリケーション用に特別に設計されていることである。
【００３４】
本発明による装置の更に他の利点は、出力ユニット上に表示されるべき所望の関連付けられたアプリケーションが選択された場合に、冗長で複雑なメニュー構造を検索する過程を回避することである。
【００３５】
本発明に更に他の利点は、入力ユニットが、スクリーン上に表示されるべきアプリケーションを選択することを可能にし、該スクリーンは、前記活動中の入力ユニットによって送信される信号の強度によって判断されることである。
【００３６】
本発明の所定の見地に関連して、本発明による方法及び装置も、
―  入力ユニットが、任意のスクリーン上に表示されるべきアプリケーションを選択することができるようにすること、
―  前記選択されたアプリケーションが表示されることのできる任意のスクリーンの選択も含むことができること、及び
―  更に、入力ユニットが、前記入力ユニットと、少なくとも１つのインターフェースユニットとの間のワイヤレス通信を使用することによって、アプリケーションを選択できるようにすること、
の利点を有する。
【発明を実施するための最良の形態】
【００３７】
本発明の、これら及び他の目的、フィーチャ、利点、及び代替的な見地は、添付図面と組み合わせられている以下の記載を熟考することによって、当業者にとって明らかになるであろう。
【００３８】
前記図面の図に対して符号が付され、ここでは、本発明の種々のエレメントが番号によって与えられており、本発明は、当業者が本発明を実施し、使用することができるように記載されるであろう。以下の記載は、模範的な本発明の本質のみであって、添付請求項を制限するものとして見られるべきではない。
【００３９】
本発明の第１及び第２の見地は、スクリーン上に表示されるべきアプリケーションを選択する装置を示している図１と、出力ユニット上に提示されるべきアプリケーションを選択する方法のフローチャートを記載している図２とを参照して、以下で、説明される。
【００４０】
出力ユニット上に提示されるべきアプリケーションを選択する装置が、図１に示されている。入力ユニットが動作すると、多数のアプリケーションから、スクリーン上に提示されるべき１つのアプリケーションを選択する方法であって、該入力ユニットが、前記選択されたアプリケーションと同一の種類のアプリケーションを制御するように特別に設計されている方法を実現するには、複数の理由に関する情報が必要である。第一に、どの入力ユニットが動作中であるかの識別、第二に、どの出力ユニット上で、前記選択されるアプリケーションを起動するべきかの判断、第三に、どのアプリケーションが前記出力ユニット上で開始されるべきかの判断である。これらの目的のために、アプリケーションを選択するこの装置は、制御ユニット１０２を備えており、該制御ユニット１０２は、該選択されたアプリケーションをスクリーン１１６上に提示することができるようにするために、出力ユニットとして機能するスクリーン１１６に更に接続されている。どの入力ユニット１２０、１２２、１２４が、動作中であるかに依存して、アプリケーションを選択することを可能にするために、それぞれ動きセンサ１２６、１２８、１３０を含む３つの入力ユニットが、各インターフェースユニット１１０、１１２、１１４を介して、制御ユニット１０２とワイヤレス無線通信をする状態にある。これに加えて、制御ユニット１０２は、３つのアプリケーションユニット１０４、１０６、１０８に接続されており、ここで、各アプリケーションユニットは、前記関連付けられたアプリケーションの選択を実現するために、アプリケーション特有性を有し、各アプリケーションが、１つのアプリケーションユニット内のみに含まれることができる。従って、入力ユニット１２０、１２２、１２４ごとに、１つのインターフェースユニット１１０、１１２、１１４が設けられる。
【００４１】
ここで開示され、記載されているものよりも多くの、インターフェースユニット及び出力ユニットが存在する。しかしながら、これらは、更に、この実施例の第３の見地に関連して記載されるであろう。
【００４２】
所定の入力ユニット１２０、１２２、１２４が動作した際に、どのアプリケーションを前記出力ユニット上に提示するかに関する情報、即ち前記入力ユニット１２０、１２２、１２４と特定のアプリケーションユニット１０４、１０６、１０８との間の関連性は、制御ユニット１０２に接続されているデータベース１１８内に記憶されている。
【００４３】
図２に記載されているように、好適実施例によれば、スクリーン１１６上に表示されるべきアプリケーションを選択する方法は、少なくとも２つの入力ユニット１２０、１２２、１２４を設けることによって開始し、ここで、第１入力ユニット１２０は、第１アプリケーションユニット１０４に少なくとも関連付けられており、第２入力ユニット１２２は、第２アプリケーションユニット１０６に少なくとも関連付けられている（ステップ２０２）。次いで、活動中のユニットを感知するステップ（ステップ２０４）は、対応するインターフェースユニット１１０、１１２、１１４に、入力ユニット１２０、１２２、１２４から無線信号を送信する入力ユニット１２０、１２２、１２４による運動を感知するステップと、入力ユニット１２０、１２２、１２４から送信された無線信号を、各インターフェースユニット１１０、１１２、１１４を介して制御ユニット１０２内で受信するステップとを有する。その後、前記制御ユニットは、活動中の入力ユニット１２０、１２２、１２４を識別し（ステップ２０６）、前記活動中の入力ユニット１２０、１２２、１２４に関連付けられているアプリケーションユニット１０４，１０６，１０８のアプリケーションを判断する（ステップ２０８）。次いで、前記制御ユニット１０３は、前記出力ユニット１１６上で開始されるべき前記アプリケーションを命令する（ステップ２１０）。
【００４４】
本発明の第３及び第４の見地は、以下で、どの出力装置上に関連付けられたアプリケーションが提示されるべきかを判断する装置を模式的に示している図３と、どの出力装置上で前記アプリケーションが開始されるべきかを選択する方法のフローチャートを示している図４とを参照して説明される。
【００４５】
本発明によれば、アプリケーションが提示されることのできるいくつかの出力ユニットが、存在する。
【００４６】
図３において、１つの入力ユニットに対して、１つの関連付けられたアプリケーションが提示される出力ユニットを判断する装置が示されている。この実施例によれば、前記装置は、制御ユニット３０８に接続された２つのスクリーン３０２、３０４の形態で、少なくとも２つの出力ユニットを有し、該制御ユニット３０８は、更に、それぞれ異なる出力ユニット又はスクリーン３０２、３０４に対応する少なくとも２つのインターフェースユニット３１０、３１２と、信号強度判断ユニット３０６とに接続されている。入力ユニット３１４は、動きセンサ３１６を備えており、インターフェースユニット３１０、３１２とのワイヤレス無線通信の状態にある。
【００４７】
図３に示されている本発明の第３の見地による装置は、好ましくは、図１に示されている本発明の第１の見地による装置のように、いくつかの入力ユニットと、いくつかのアプリケーションユニットと、データベースとを有する。明瞭化のために、これらの付加的ユニットは、図３においては省略しており、読者の注目を、本発明の前記第３の見地の背景にある中心的な考えに引き寄せる。
【００４８】
本発明の前記第４の見地による方法は、スクリーン３０２、３０４の形態のどの出力ユニット上でアプリケーションを開始するかの判断を含む。この判断は、活動中の入力ユニット３１４のインターフェースユニット３１０、３１２への近接度に基づいており、該インターフェースユニット３１０、３１２は、異なるスクリーン３０２、３０４にそれぞれ対応しており、それぞれ、好ましくは、各スクリーン３０２、３０４の近傍にある。
【００４９】
この判断の方法は、アプリケーションを第１スクリーン３０２上に表示することによって、開始する（ステップ４０４）。活動中の入力ユニット３１４が運動すると、測定ユニットを含むインターフェースユニット３１０、３１２は、無線信号を受け取り、動いている入力ユニット３１４によって送信される前記無線信号の強度を測定する。この信号強度情報は、次いで、制御ユニット１０２、３０８に転送され、該制御ユニット１０２、３０８は、信号強度判断ユニット３０６に、異なる前記信号強度を比較し、どの信号強度が最も高いかを判断するように命令する。信号強度判断ユニット３０６によるこの判断の後、どの測定された信号が最高の強度を有するかに関する情報が、制御ユニット３０８に転送される。前記制御ユニット３０８は、次いで、どのインターフェースユニット３１０、３１２が、この最高信号強度を測定したのかを判断し、該インターフェースユニット３１０、３１２に対応する出力ユニット３０２、３０４を選択し、該出力ユニット３１０、３１２上に、アプリケーションが提示される。
【００５０】
全体的に見ると、制御ユニット３０８が、活動中の入力ユニット３１４が、前記第１スクリーン又は出力ユニットＯＵ１、３０２に対応するインターフェースユニットよりも、前記第２スクリーン又は出力ユニットＯＵ２、３０４に対応するインターフェースユニット３１０、３１２に近いかどうかを、判断する。
【００５１】
再度、全体的に見ると、前記入力ユニットが、前記第２スクリーン３０４により近い場合、例えば、前記の質問が、肯定的に（Ｙ）回答された場合は、関連付けられたアプリケーションの表示は、前記第１スクリーン又はＯＵ１、３０２から、前記第２スクリーン又はＯＵ２、３０４に変更され、この結果、該アプリケーションは、前記第２スクリーン又はＯＵ２、３０４上で再開される。前記の質問が、否定的に（Ｎ）回答された場合、即ち前記入力ユニット３１４が、前記第１スクリーン又はＯＵ１、３０２よりも、前記第２スクリーン又はＯＵ２、３０４に近くない場合、関連付けられたアプリケーションの表示は、前記第１スクリーン又はＯＵ１、３０２上で継続される。
【００５２】
より正確には、前記制御ユニット３０８は、前記アプリケーションを、対応するインターフェースユニット３１０、３１２が前記最も強いの無線信号を測定している前記スクリーン又は出力ユニット３０２、３０４上に表示することを決定する。従って、前記制御ユニット３０８は、前記測定の結果に依存して、前記出力ユニット又はスクリーン３０２、３０４を選択する。
【００５３】
前記活動中の入力ユニット３１４が運動するたびに、該活動中の入力ユニット３１４から送信される前記無線信号の強度が測定され、この測定の結果に依存して、出力ユニット又はスクリーン３０２、３０４が、関連付けられたアプリケーションを表示するように選択される。
【００５４】
出力ユニット３０２、３０４上に関連付けられたアプリケーションを表示することを終了又は停止した後は、該アプリケーションは、入力ユニット３１４が活動すると、出力ユニット３０２、３０４に対応するインターフェースユニット３１０、３１２が、最も強い無線信号を測定した場合、出力ユニット３０２、３０４上で再開される。
【００５５】
更に、図５には、コンピュータ読み取り可能媒体の例として、コンパクトディスク５０２を示してあり、該コンパクトディスク５０２は、コンピュータプログラムであって、これに関して、該コンピュータプログラムが、本発明による前記装置内に含まれているコンピュータ内にロードされた場合に、該コンピュータに、本発明による前記方法を実行させるコンピュータプログラムコードを有している。
【００５６】
本発明は、例えば、以下のように、多くの態様に変更されることができる。
【００５７】
本発明の他の実施例において、前記方法は、入力ユニットが活動すると、それぞれが該入力ユニットに関連付けられているアプリケーションの選択を、提示する。
【００５８】
本発明の他の実施例においては、出力ユニット上に提示されるべきアプリケーションを選択する前記装置は、少なくとも２つの相互接続された制御ユニットを有する。
【００５９】
本発明の他の実施例においては、前記方法は、前記活動中の入力ユニットが運動すると、取り得るアプリケーションの選択の提示を再開する。
【００６０】
本発明の他の実施例においては、どの出力ユニット上で前記アプリケーションが提示されるべきかを判断する装置は、１つ以上の入力ユニットを有する。
【００６１】
本発明の更に他の実施例においては、どの出力ユニット上でアプリケーションが提示されるべきかを判断する前記ステップは、それぞれが異なる出力ユニットに関係付けられている少なくとも２つのインターフェースユニットから到来する信号の強度を、少なくとも１つの入力ユニットにおいて測定すること、及び前記測定に依存して出力ユニットを選択することを含む。
【００６２】
本発明の更に他の実施例においては、どの出力ユニット上でアプリケーションが提示されるべきかを判断する前記ステップは、それぞれが異なる出力ユニットに関係付けられている少なくとも２つのインターフェースユニットに対する、活動中の入力ユニットの物理的な位置を、少なくとも１つの出力ユニットの知覚限度内で判断することと、前記所定の位置に依存して出力ユニットを選択することとを含む。この場合、位置決めをする信号は、インターフェースユニット、又は前記活動中の入力ユニットのいずれかから送信される。
【００６３】
本発明の更に他の実施例においては、前記活動中の入力ユニットを識別する前記ステップは、該入力ユニット上のボタン又はキーを押すと該入力ユニットから到来する信号を感知することを含む。
【００６４】
本発明の異なる実施例においては、前記活動中の入力ユニットを識別する前記ステップは、該入力ユニット上に位置されたタッチ制御又はタッチ感知領域を活性化させると該入力ユニットから到来する信号を感知することを含む。
【００６５】
本発明の異なる実施例においては、活動中の入力ユニットを識別する前記ステップは、該入力装置内に位置されている熱感知センサを活性化させると、前記入力ユニットから到来する信号を感知することを含む。
【００６６】
本発明の異なる実施例においては、前記活動中の入力ユニットを識別する前記ステップは、該入力ユニットから到来する方向赤外線（ＩＲ）信号を感知することを含む。
【００６７】
本発明の異なる実施例においては、前記活動中の入力ユニットを識別する前記ステップは、該入力ユニットから到来する拡散赤外線（ＩＲ）信号を感知することを含む。
【００６８】
本発明の更に異なる実施例においては、前記活動中の入力ユニットを識別する前記ステップは、該入力ユニットから到来するマイクロ波信号を感知することも含む。
【００６９】
本発明の更に異なる実施例においては、少なくとも２つのアプリケーションが、同一の出力ユニット上に表示されるように選択される。
【００７０】
本発明の他の更にもう１つの実施例においては、１つ以上のアプリケーションが、少なくとも２つの出力ユニット上に表示されるように選択される。
【００７１】
本発明の他の更にもう１つの実施例においては、出力ユニットを、音響送信機、即ちラウドスピーカによって作ることができる。
【００７２】
本発明の他の更にもう１つの実施例においては、少なくとも１つのアプリケーションの選択が、第１の種類の出力ユニット、例えばスクリーン上に提示されるのに対し、該アプリケーションは、選択がなされると、第２の種類の出力ユニット、例えば、ラウドスピーカシステム上で開始される。
【００７３】
本発明の他の更にもう１つの実施例においては、少なくとも１つのアプリケーションの選択は、ラウドスピーカシステムのような１つの種類の出力ユニットによって提示され、該アプリケーションは、音声制御を適用することによって、前記アプリケーションの選択がされると、同一の種類の出力ユニット上で開始される。
【００７４】
従って、以下の利点を有する、本発明による装置及び方法が記載された。
【００７５】
出力ユニット上に提示されるべきアプリケーションを選択する当該方法は、従来技術と比較して、利点を有しており、この利点とは、前記入力ユニットが、該選択されたアプリケーションのアプリケーションユニットと関連付けられているので、素早く、かつ、容易な、前記アプリケーションへのアクセスを可能にすると共に、前記入力ユニットが、前記関連付けられたアプリケーションと同一の種類のアプリケーション用に特別に設計されているので、該入力ユニットが、多機能の、即ち汎用スクリーン上に、前記関連付けられたアプリケーションを表示又は提示するのに使用される場合に、アプリケーションの制御を可能にすることである。
【００７６】
本発明による方法は、
―  入力ユニットが、任意のスクリーン上に表示されるべきアプリケーションを選択することができるようにすること、
―  前記選択されたアプリケーションが表示されることのできる任意のスクリーンの選択も有することができること、及び
―  更に、入力ユニットが、該入力ユニットと、少なくとも１つのインターフェースユニットとの間のワイヤレス通信を使用することにより、アプリケーションを選択することができるようにすること、
という利点も有する。
【００７７】
本発明による装置の他の利点は、入力ユニットが、スクリーン上に表示されるべきアプリケーションを選択することができるようにし、該入力ユニットは、前記選択されたアプリケーション用に、特別に設計されていることである。
【００７８】
本発明による装置の更に他の利点は、出力ユニット上に表示されるべき所望の関連付けられたアプリケーションが選択された場合に、冗長で複雑なメニュー構造を検索する過程を、回避することである。
【００７９】
本発明による装置の更に別の利点は、入力ユニットが、スクリーン上に表示されるべきアプリケーションを選択することができるようにし、該スクリーンは、前記活動中の入力ユニットによって送信される無線信号の強度によって判断されることである。
【図面の簡単な説明】
【００８０】
【図１】スクリーン上に表示されるべきアプリケーションを選択する装置を示している。
【図２】出力ユニット上に提示されるべきアプリケーションを選択するの方法のフローチャートを示している。
【図３】どの出力ユニット上に、関連付けられたアプリケーションを提示するかを判断する装置を、模式的に示している。
【図４】前記アプリケーションが提示されるべき前記出力ユニットを選択する方法のフローチャートを示している。
【図５】コンピュータ読み取り可能な媒体の例として、コンパクトディスクを示している。
【図１】
2005535046.tif 000003
【図２】
2005535046.tif 000004
【図３】
2005535046.tif 000005
【図４】
2005535046.tif 000006
【図５】
2005535046.tif 000007
【国際調査報告】
2005535046.tif 000008
2005535046.tif 000009
2005535046.tif 000010